(57)【要約】【課題】ディスクリートトラックメディア等の被検査対象に形成された数１０ｎｍ程度以下の微細なパターンの形状を、パターンエッジの状態を含めて、高速、かつ高感度に検査できるようにしたパターン形状検査方法及びその装置を提供する。【解決手段】試料に対して遠紫外光を含む広帯域の照明光を垂直方向から照射し、前記試料から検出される反射光の分光波形を元に前記パターンの形状を検査し、さらに前記試料から検出される反射光の分光波形を元に前記パターンのエッジラフネスを検出する第１のステップと、レーザ光を前記試料に対して斜め方向から照射し、前記試料から検出される散乱光を元に前記パターンのエッジラフネスを検出する第２のステップと、を有することを特徴とする。【選択図】図１
2010123182.tif 000002
【特許請求の範囲】
【請求項１】
パターンが形成され、回転しながら半径方向に移動する試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出する第１のステップと、
レーザ光を前記試料に対して斜め方向から照射し、前記レーザ光が照射される前記試料から検出される散乱光を元に前記パターンのエッジラフネスを検出する第２のステップと、
を有することを特徴とするパターン形状検査方法。
【請求項２】
前記第２のステップにおいて前記試料から検出される散乱光を元に前記パターンのエッジラフネスが検出されたとき、前記第１のステップにおいて前記試料から検出される反射光の分光波形を元に前記パターンのエッジラフネスの検出を行うことを特徴とする請求項１記載のパターン形状検査方法。
【請求項３】
前記パターンのエッジラフネスに対し、パターン側壁表面に設けられたラフネス層を表す光学モデルを作成し、ラフネス層の光学定数を有効媒質近似から得、前記作成した光学モデルを用い、
前記第１のステップにおいて、前記試料から検出される反射光の分光波形を元に前記パターンのエッジラフネスを検出することを特徴とする請求項１記載のパターン形状検査方法。
【請求項４】
前記パターンのエッジラフネスに対し、パターン側壁表面に設けられたラフネス層を表す光学モデルを作成し、ラフネス層の光学定数を有効媒質近似から得、前記作成した光学モデルを用い、
前記第２のステップにおいて前記パターンのエッジラフネスが検出されたとき、前記第１のステップにおいて、前記試料から検出される反射光の分光波形を元に前記パターンのエッジラフネスを検出することを特徴とする請求項２記載のパターン形状検査方法。
【請求項５】
パターンが形成され、回転しながら半径方向に移動する試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出することを特徴とするパターン形状検査方法。
【請求項６】
前記パターンのエッジラフネスに対し、パターン側壁表面に設けられたラフネス層を表す光学モデルを作成し、ラフネス層の光学定数を有効媒質近似から得、前記作成した光学モデルを用い、
前記試料から検出される反射光の分光波形を元に前記パターンのエッジラフネスを検出することを特徴とする請求項５記載のパターン形状検査方法。
【請求項７】
前記試料がディスクリートトラックメディア、またはディスクリートトラックメディアの型であるスタンパ、またはスタンパの型であるマスタであることを特徴とする請求項１乃至６の何れか一つに記載のパターン形状検査方法。
【請求項８】
パターンが形成された試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出する第１のステップと、
レーザ光を前記試料に対して斜め方向から照射し、前記レーザ光が照射される前記試料から検出される散乱光を元に前記パターンのエッジラフネスを検出する第２のステップと、
を有することを特徴とするパターン形状検査方法。
【請求項９】
パターンが形成された試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出することを特徴とするパターン形状検査方法。
【請求項１０】
前記試料が半導体ウェアであることを特徴とする請求項８又は９記載のパターン形状検査方法。
【請求項１１】
パターンが形成された試料を回転しながら半径方向に移動させる移動機構と、
該移動機構によって回転しながら移動する試料に対して遠紫外光を含む広帯域の照明光を垂直方向から照射し、前記広帯域の照明光が照射される試料から得られる反射光の分光波形を検出する分光検出光学系と、
該分光検出光学系で検出される反射光の分光波形を元に前記パターンの形状を検査し、さらに前記試料から検出される反射光の分光波形を元に前記パターンのエッジラフネスを検出する形状検査処理部と、
レーザ光を前記移動機構によって回転しながら移動する試料に対して斜め方向から照射し、前記レーザ光が照射される前記試料から得られる散乱光を検出する散乱光検出光学系と、
該散乱光検出光学系で検出される散乱光を元に前記パターンのエッジラフネスを検出するエッジラフネス検出処理部と、
を備えたことを特徴とするパターン形状検査装置。
【請求項１２】
パターンが形成された試料を回転しながら半径方向に移動させる移動機構と、
該移動機構によって回転しながら移動する試料に対して遠紫外光を含む広帯域の照明光を垂直方向から照射し、前記広帯域の照明光が照射される試料から得られる反射光の分光波形を検出する分光検出光学系と、
該分光検出光学系で検出される反射光の分光波形を元に前記パターンの形状を検査し、さらに前記試料から検出される反射光の分光波形を元に前記パターンのエッジラフネスを検出する形状検査処理部と、
を備えたことを特徴とするパターン形状検査装置。
【請求項１３】
パターンが形成された試料を載置するステージ機構と、
該ステージ機構に載置された試料に対して遠紫外光を含む広帯域の照明光を垂直方向から照射し、前記広帯域の照明光が照射される試料から得られる反射光の分光波形を検出する分光検出光学系と、
該分光検出光学系で検出される反射光の分光波形を元に前記パターンの形状を検査し、さらに前記試料から検出される反射光の分光波形を元に前記パターンのエッジラフネスを検出する形状検査処理部と、
レーザ光を前記ステージ機構に載置された試料に対して斜め方向から照射し、前記レーザ光が照射される前記試料から得られる散乱光を検出する散乱光検出光学系と、
該散乱光検出光学系で検出される散乱光を元に前記パターンのエッジラフネスを検出するエッジラフネス検出処理部と、
を備えたことを特徴とするパターン形状検査装置。
【請求項１４】
パターンが形成された試料を載置するステージ機構と、
該ステージ機構に載置された試料に対して遠紫外光を含む広帯域の照明光を垂直方向から照射し、前記広帯域の照明光が照射される試料から得られる反射光の分光波形を検出する分光検出光学系と、
該分光検出光学系で検出される反射光の分光波形を元に前記パターンの形状を検査し、さらに前記試料から検出される反射光の分光波形を元に前記パターンのエッジラフネスを検出する形状検査処理部と、
を備えたことを特徴とするパターン形状検査装置。
【発明の詳細な説明】
【技術分野】
【０００１】
本発明は、パターンドメディアからなる磁気記録媒体、特にディスクリートトラックメディア、そのスタンパ又はスタンパの型であるマスタ等の被検査対象に形成されたライン状パターンの形状をパターンエッジの状態を含めて、高速、かつ高感度に検査できるパターン形状検査方法及びその装置に関する。
【背景技術】
【０００２】
近年、ＰＣ、サーバに加え、モバイル機器、デジタル記録のＡＶ機器等の普及が加速し、ハードディスクドライブ（ＨＤＤ）の需要が高まって、ＨＤＤが扱う情報量も飛躍的に増大している。一方、ＨＤＤは小形化が要求され、ＨＤＤの磁気記録媒体の記録密度は増大している。ＨＤＤの記録密度の増大に伴い、垂直磁気記録方式の開発が行われたが、垂直磁気記録方式でも、記録密度の増加に伴い、隣接トラック相互の磁気的干渉による影響が大きくなるため、限界に達する。そこで、対象のトラックのみ記録再生する方式として、トラックを物理的に加工し磁気的に分離するディスクリートトラックメディア（Discrete Track Media）の開発が行われている。さらに、記録密度を増加するために、１磁性粒子に１ビットを記録するビットパターンドメディア（Bit Patterned Media）の開発が進められている。
【０００３】
ディスクリートトラックメディアやビットパターンドメディアは従来の磁気記録媒体と異なり、トラックやビットのパターンを形成する必要がある。トラックやビットのパターンの大きさは数１０ｎｍと微細であり、微細なパターンを低コストで製造する方法として、光ナノインプリント技術が用いられる。
【０００４】
光ナノインプリントで形成されたパターンに、大きさや形状のばらつき、欠損やショートがある場合には、正常に動作せず不良となる場合がある。そのため、パターン形状が適切に形成されているか検査することが必要となる。また、パターンの型であるスタンパに欠陥がある場合、欠陥が複製されるため、高精度な検査が必要となる。また、製造工程上でプロセスにより欠陥が生じた場合、その原因を追求するためパターン形状やパターン状態を詳細に検査する必要がある。
【０００５】
微細なパターンの欠陥を検査する方式としてＳＥＭ（Scanning Electron Microscope：走査型電子顕微鏡）やＡＦＭ（Atomic Force Microscope：原子間力顕微鏡）が知られているが、スループットの観点で限られた領域の検査のみに適用されるという課題を有していた。
【０００６】
一方、微小な欠陥や、パターン形状欠陥を高スループットで検出する装置として、光学式の表面検査装置やＯＣＤ（Optical Critical Dimension）計測装置が知られている。特許文献１（米国特許第７２３３３９０号明細書）には、従来のＯＣＤ計測装置として、スキャットロメトリを用いて、半導体のパターンエッジにラフネスがある場合のラインパターンを計測する方法が記載されている。
【０００７】
【特許文献１】米国特許第７２３３３９０号明細書
【発明の開示】
【発明が解決しようとする課題】
【０００８】
前記特許文献１では、パターンエッジのラフネスを円や楕円で組み合わせ、いくつかの周波数成分からなる波形で表すことで、検出波形のフィッティングを行うことが示されているが、実際のパターンのエッジラフネスは、周波数成分が連続的に変化したより複雑な形状をしており、ラフネスをより実際に近い形で表すことについては触れられていない。また、ラインエッジラフネスの検出を、スキャットロメトリによる方法以外で行うことについても触れられていない。
【０００９】
本発明の目的は、パターンドメディアからなる磁気記録媒体、特にディスクリートトラックメディア、そのスタンパ、又はスタンパの型であるマスタ等の被検査対象に形成された数１０ｎｍ程度以下の微細なライン状パターンの形状（例えばトラックの幅、高さ、側壁角等）をパターンエッジの状態（ラインエッジラフネス）を含めて、高速、かつ高感度に検査できるようにしたパターン形状検査方法及びその装置を提供することにある。
【課題を解決するための手段】
【００１０】
上記目的を達成するために、本発明は、パターンが形成され、回転しながら半径方向に移動する試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出する第１のステップと、レーザ光を前記試料に対して斜め方向から照射し、前記レーザ光が照射される前記試料から検出される散乱光を元に前記パターンのエッジラフネスを検出する第２のステップとを有することを特徴とするパターン形状検査方法及びその装置である。
【００１１】
また、本発明は、前記第２のステップにおいて前記試料から検出される散乱光を元に前記パターンのエッジラフネスが検出されたとき、前記第１のステップにおいて前記試料から検出される反射光の分光波形を元に前記パターンのエッジラフネスの検出を行うことを特徴とする。
【００１２】
また、本発明は、前記パターンのエッジラフネスに対し、パターン側壁表面に設けられたラフネス層を表す光学モデルを作成し、ラフネス層の光学定数を有効媒質近似から得、前記作成した光学モデルを用い、前記第１のステップにおいて、前記試料から検出される反射光の分光波形を元に前記パターンのエッジラフネスを検出することを特徴とする。
【００１３】
また、本発明は、前記パターンのエッジラフネスに対し、パターン側壁表面に設けられたラフネス層を表す光学モデルを作成し、ラフネス層の光学定数を有効媒質近似から得、前記作成した光学モデルを用い、前記第２のステップにおいて前記パターンのエッジラフネスが検出されたとき、前記第１のステップにおいて、前記試料から検出される反射光の分光波形を元に前記パターンのエッジラフネスを検出することを特徴とする。
【００１４】
また、本発明は、パターンが形成され、回転しながら半径方向に移動する試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出することを特徴とするパターン形状検査方法及びその装置である。
【００１５】
また、本発明は、前記パターンのエッジラフネスに対し、パターン側壁表面に設けられたラフネス層を表す光学モデルを作成し、ラフネス層の光学定数を有効媒質近似から得、前記作成した光学モデルを用い、前記試料から検出される反射光の分光波形を元に前記パターンのエッジラフネスを検出することを特徴とする。
【００１６】
また、本発明は、前記試料がディスクリートトラックメディア、またはディスクリートトラックメディアの型であるスタンパ、またはスタンパの型であるマスタであることを特徴とする。
【００１７】
また、本発明は、パターンが形成された半導体ウェア等の試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出する第１のステップと、レーザ光を前記試料に対して斜め方向から照射し、前記レーザ光が照射される前記試料から検出される散乱光を元に前記パターンのエッジラフネスを検出する第２のステップとを有することを特徴とするパターン形状検査方法及びその装置である。
【００１８】
また、本発明は、パターンが形成された半導体ウェア等の試料に対して遠紫外光を含む広帯域の照明光を垂直方向から照射し、前記広帯域の照明光が照射される試料から検出される反射光の分光波形を元に前記パターンの形状を検査し、さらに前記試料から検出される反射光の分光波形を元に前記パターンのエッジラフネスを検出することを特徴とするパターン形状検査方法及びその装置である。
【発明の効果】
【００１９】
本発明によれば、パターンドメディアからなる磁気記録媒体、特にディスクリートトラックメディア、そのスタンパ、又はスタンパの型であるマスタ等の被検査対象に対してパターンエッジの状態（ラインエッジラフネス）を含めてパターンの形状（例えばトラックの幅、高さ、側壁角等）を高速、かつ高感度に検査することができる。
【発明を実施するための最良の形態】
【００２０】
本発明に係るパターン形状検査方法及びその装置の実施形態について図面を用いて詳細に説明する。
【００２１】
［第１の実施形態］
本発明に係るパターン形状検査装置の第１の実施形態について図１乃至図１０を用いて詳細に説明する。図１は本発明に係るパターン形状検査装置の第１の実施形態の構成を示す図である。図２は本発明に係る磁気記憶媒体のパターンドメディアであるディスクリートトラックメディアの被検査対象を示す図である。パターン形状検査装置は、図２に示す磁気記憶媒体のパターンドメディアであるディスクリートトラックメディア１０１を被検査対象とし、磁気記録媒体上の磁性膜におけるパターンエッジの状態（ラインエッジラフネス）を含めてパターンの形状（例えばトラックの幅、高さ、側壁角等）の検査（欠陥検出）を行う。
【００２２】
パターン形状検査装置は、被検査対象のディスクリートトラックメディア１０１である試料１を搭載し回転するθステージ２と、該θステージ２を１方向に移動するＸステージ３と、被検査対象である試料１に広帯域照明光を照射して試料１からの分光を検出する分光検出光学系４と、該検出した分光波形から被検査対象のパターンの形状を検査する形状検査処理部５と、試料１にレーザ光を照射して試料１からの散乱光を検出する散乱光検出光学系６と、該検出した散乱光からエッジラフネスを検出するエッジラフネス検出処理部７と、全体のシーケンスを制御する全体制御部８と、入出力端末９と、データベース１０とから構成される。
【００２３】
また、分光検出光学系４は、遠紫外（ＤＵＶ）光を含む広帯域の照明光（波長は、例えば２００〜８００ｎｍ）を出射する光源２１と、該照明光を集光する集光レンズ２２と、試料上の検出視野を決める視野絞り２３と、照射レンズ２４と、ハーフミラー２５と、上記照明光を図５に示すように試料１に形成されたパターン１３４に合わせて特定方向（電界方向をパターン１３４の方向と平行なＴＥ方向１４２、パターン１３４の方向と垂直なＴＭ方向１４３）に偏光する偏光プリズム２６と、上記広帯域の照明光を垂直方向から試料１上の検出視野に対して集光して照射し、上記試料１上の検出視野から得られる反射光（反射０次回折光（正反射光））を集光して検出する対物レンズ２７と、該対物レンズ２７で集光して得られる試料上の検出視野からの反射光を結像する結像レンズ２８と、迷光等を遮蔽する絞り２９と、回折格子３０及びリニアセンサ３１により分光波形を検出する分光器３２とから構成される。
【００２４】
また、散乱光検出光学系６は、例えば波長４８８ｎｍ、４０５ｎｍ等の可視光レーザや波長３５５ｎｍ等の紫外光レーザを出射するレーザ光源４１と、欠陥検出を高感度に行うのに適したレーザ光の偏光方向を調節（選択）する波長板４２と、ビーム径を調節するビームエキスパンダ４３と、該出力されたレーザ光の方向を変えるミラー４４と、該ミラー４４から得られるレーザ光１７１を試料１に対して斜方向から上記検出視野と同じ箇所に照射するミラー４５と、試料１からの散乱光を集光する第１集光レンズ４７、第２集光レンズ４８及び該集光された散乱光を検出する第１検出器４９、第２検出器５０とから構成される。
【００２５】
次に、第１の実施形態の動作について説明する。試料１はθステージ２に保持され、回転するとともに、Ｘステージ３で一方向に移動し、θステージ２の回転位置、Ｘステージ３の移動位置は全体制御部８に記録される。試料１は、ディスクリートトラックメディア１０１で、図２に示すように、基板１１１、軟磁性下地層１１２、中間層１１３、記録層１１４から構成されており、記録層１１４の部分にはトラック溝１１５が形成されている。トラック溝１１５はディスクリートトラックメディア１０１の円周方向１０２に形成されている。実際の製品では、この後、トラック溝を非磁性材料で埋め込み、平坦化後、保護膜を形成、潤滑膜を形成する。パターンの凹凸を埋め込んだメディアを用いることにより、磁気ヘッドの浮上量は安定する。
【００２６】
始めに、分光検出光学系４について説明する。光源２１は、遠紫外（ＤＵＶ）光を含む広帯域の照明光（波長は、例えば２００〜８００ｎｍ）を出射するように、例えば、Ｘｅランプ、ハロゲンランプ、重水素ランプ、またはそれらを組み合わせて構成される。光源２１から出射される照明光は、集光レンズ２２により視野絞り２３上に集光される。視野絞り２３の像は、照射レンズ２４を介してハーフミラー２５で光路が曲げられ、対物レンズ２７により試料上に結像され、検出視野が形成される。なお、偏光プリズム２６では、試料上に形成されたパターンに対して照明光の偏光方向（例えばＴＥ偏光、ＴＭ偏光）が選択される。そして、入射光（照明光）に対して試料１から得られる反射光（反射０次回折光）は、対物レンズ２７により集光され、偏光プリズム２６及びハーフミラー２５を通って結像レンズ２８により絞り２９上に結像される。絞り２９は、大きさを試料１上の検出視野の大きさに対応させているため、迷光や絞り２９上に結像しない光線を遮蔽する。検出視野から得られる反射光は絞り２９を透過して分光器３２に到達する。分光器３２において、到達した反射光である検出光は回折格子３０により分光され、センサ３１により分光波形が検出される。該検出された分光波形は、Ａ／Ｄ変換され、形状検査処理部５においてデジタル化された分光反射率波形が得られる。次に、形状検査処理部５において、得られた分光反射率波形からパターンの形状を検査する。パターンの形状検査は、被検査対象である試料１のパターン部分である例えば記録層１１４の幅、高さ、側壁角等を対象として行われる。
【００２７】
パターンの形状検査の方法には、いくつかの方法がある。
【００２８】
第１の方法は、まず、図３に示すように、基準の分光反射率波形６１を、予め正常のパターンを有する標準試料（パターン形状が既知の標準試料）から検出するか、またはＲＣＷＡ（Rigorous Coupled-Wave Analysis）等の電磁波解析手法を用いて算出してデータベース１０に格納しておき、形状検査処理部５は実際の被検査対象の試料１から検出した分光反射率波形６２と上記データベース１０に格納しておいた基準の分光反射率波形６１との間の波長に関する平均誤差（例えば波長に関する二乗平均誤差等）を算出し、その値がある閾値以上の場合には、被検査対象のパターン形状に異常がある（規定寸法（設計寸法）通りに形成されていない）と判定して検査を行う方法である。
【００２９】
第２の方法は、予め、正常のパターンを有する標準試料から検出された基準の分光反射率波形６１からＲＣＷＡ等の電磁波解析手法を用いてパターンの幅、高さ、側壁角等の形状が変化した場合の各種基準の分光反射率波形を求めてデータベース１０にライブラリ化しておき、形状検査処理部５は実際の被検査対象である試料１から検出した分光反射率波形６２を上記ライブラリ化された各種基準の分光反射率波形と比較して一致する基準の分光反射率波形から実際の被検査対象のパターン形状を計測し、該計測されたパターン形状が異常であるか否かを判定して検査を行う方法である。
【００３０】
第３の方法は、形状検査処理部５が実際の被検査対象の試料１から検出した分光反射率波形６２に対してパターンの形状を変化させた場合の各種基準の分光反射率波形をＲＣＷＡ等の電磁波解析手法を用いて実時間で算出し、該実時間で算出した各種基準の分光反射率波形を実際の被検査対象の試料１から検出した被検査対象の分光反射率波形６２にフィッティングさせることによって、実際の被検査対象のパターン形状自体（パターンの幅、高さ、側壁角等）を計測し、該計測されたパターン形状が異常であるか否かを判定して検査を行う方法である。
【００３１】
次に、被検査対象である試料１のディスクリートトラックメディア１０１におけるライン状パターン１２１のエッジ（側壁）にラフネス１２２がある場合について図４を用いて説明する。図４は、被検査対象のディスクリートトラックメディアのライン状パターンエッジにラフネスがある場合の構造を示す斜視図である。
【００３２】
一般に、ナノインプリントでパターンを形成する場合、パターンの形成は、モールドによる型押しのため、レジストパターンでは、ラインエッジラフネスはそれ程大きくなることはないが、その後のエッチングでは、条件によってはラインエッジラフネスが大きくなる場合がある。また、パターンの形成には磁性膜をエッチングして記録層１１４を形成する方法と、それ以外に、基板または薄膜層をエッチングしてパターン形成後、その表面に磁性膜をスパッタ等で成膜する方法がある。その場合にも、条件によって、磁性膜パターンのエッジラフネスが大きくなる場合がある。
【００３３】
ライン状パターン１２１のエッジ（側壁）にラフネス１２２がある場合、分光器３２で検出される分光波形にラフネスの影響が現れることが予想される。そこで、本発明者等は、パターンのエッジにラフネスがある場合の分光反射率波形を、新たに光学モデルを作成することにより、シミュレーションから求めた。図５は、パターンエッジにラフネスがある場合のシミュレーションによる光学モデルを示す図である。即ち、ラインエッジラフネスの光学モデルは、エッジラフネスとして、新たに層であるパターンエッジ１３５を設け、エッジラフネス１２２がライン状パターン（材質ｂ）１２１とライン状パターン１２１に接する空気（材質ａ）との混合相（エッジラフネス）から形成されると仮定して、一般に知られている有効媒質近似からパターンエッジ１３５の光学定数Ｎを求めた。有効媒質近似としては、例えば、次に示す（１）式を用い、材質ａ（パターンエッジが接している空気）の体積分率として例えばｆａ＝０．５とし、材質ｂ（パターン）１２１の誘電率εｂと該パターン１２１に接する材質ａ（空気）の誘電率εａとから混合相（エッジラフネス）の誘電率εを求め、それによりエッジラフネスの光学定数Ｎ＝√ε＝ｎ−ｊｋを求めた。
【００３４】
なお、図５に示す光学モデルにおいて、１３１はディスクリートトラックメディア１０１における基板１１１が対応し、１３２は軟磁性下地層１１２が対応し、１３３は中間層１１３が対応し、ライン状パターン１３４は記録層１１４が対応する。
【００３５】
【数１】
2010123182.tif 000003
【００３６】
シミュレーションの条件として、入射光１４１の入射角０°（α＝９０°：垂直方向）、偏光は入射光１４１の電界方向がライン状パターン１３４の方向と平行なＴＥ偏光１４２、またはライン状パターン１３４の方向と垂直なＴＭ偏光１４３とし、波長λは遠紫外（ＤＵＶ）光から可視光までの波長で、例えば２００〜８００ｎｍとした。
【００３７】
以上の条件（上記ラインエッジラフネスの光学モデル（有効媒質近似から求めたパターンエッジ１３５の光学定数Ｎも含む）及び上記シミュレーションの条件）で、本発明者等はシミュレーションを行い、エッジラフネス１２２がある大きさの試料１からの反射０次回折光（反射角０°）の分光反射率波形ＲＣ（λ）を得る。同様にして、エッジラフネス１２２のない基準となる試料１の分光反射率波形ＲＳ（λ）を得る。こうして得られた、エッジラフネス１２２がある場合の分光反射率波形ＲＣ（λ）と、基準となる試料の分光反射率波形ＲＳ（λ）から、例えば、次に示す（２）式により、両者の分光反射率波形の変化量を表す判定指標値Ｄを計算した。
【００３８】
【数２】
2010123182.tif 000004
【００３９】
同様にして、エッジラフネス１２２の大きさが変化した場合、即ち、図５に示す光学モデルのパターンエッジ１３５の膜厚１３８が変化した場合の分光反射率波形を求め、基準となる試料１の分光反射率波形ＲＳ（λ）に対する分光反射率波形の変化量を表す判定指標値Ｄを算出した。その一実施例を図６に示す。図６の横軸はラインエッジラフネスの大きさ、縦軸は判定指標値Ｄの大きさを表し、データ１５１はＴＭ偏光、データ１５２はＴＥ偏光の場合である。このようにＴＭ偏光のデータ１５１及びＴＥ偏光のデータ１５２において、分光反射率波形の変化量を表す判定指標値はラインエッジラフネスが大きくなるに従い、大きくなることが分かる。図１に示す分光器３２のリニアセンサ３１のＳ／Ｎを考慮すると、検出可能な分光反射率波形変化量の閾値１５３は図６に示すようになる。閾値１５３を考慮して、ｎｍオーダの大きさのラインエッジラフネスがあると、分光反射率波形変化量を検出できることが分かる。
【００４０】
以上説明したラインエッジラフネスによるシミュレーション結果をもとに、本発明者等は形状検査処理部５で得られた分光反射率波形から、ラインエッジラフネスを含む形状欠陥を検出することができることを見出した。
【００４１】
本発明は、例えば、形状検査処理部５において、既に述べた方法でラインエッジラフネスを考慮した光学モデルを作成し、該作成した光学モデルを元に、ＲＣＷＡ法による解析手法でライン状パターンの形状及びラインエッジラフネスの大きさを変化させた場合の各種基準の分光反射率波形を算出し、該算出した各種基準の分光反射率波形を、図３に示すように上記入力した分光反射率波形６２に対してフィッティングすることにより、ライン状パターンの形状及びラインエッジラフネスの大きさを求め、該求めたライン状パターンの形状及びラインエッジラフネスの大きさから欠陥の判定を行うものである。
【００４２】
しかし、この方法では、予めラインエッジラフネスがあるとして、光学モデルを作成するため、パラメータ数が多くなり、フィッティングに時間を要する。そこで、本発明は、ラインエッジラフネスの有無を他の検出系で検知し、ラインエッジラフネスがあるときのみ、ラインエッジラフネスを考慮して光学モデルを作成することによりフィッティングの時間を短縮することが可能となる。
【００４３】
次に、ラインエッジラフネスの有無を他の検出系で検知する方法として、散乱光検出光学系６を用いる方法について図１を用いて説明する。散乱光検出光学系６におけるレーザ光源４１は例えば波長４８８ｎｍ、４０５ｎｍ等の可視光レーザや波長３５５ｎｍ等の紫外光レーザを出射するように構成される。レーザ光源４１から出射したレーザ光は、波長板７４で欠陥検出を高感度に行うのに適した偏光方向が選択され、ビームエキスパンダ４３でビーム径の大きさが調整され、ミラー４４、ミラー４５で光路が曲げられ、試料１上の検出視野と同じ箇所に斜方向から照射する。試料１のパターンエッジのラフネスからの散乱光を第１集光レンズ４７及び第２集光レンズ４８の各々で集光し、該集光された散乱光を第１検出器４９及び第２検出器５０で検出する。第１検出器４９及び第２検出器５０の各々には、例えば光電子増倍管を用い、散乱光を高感度に検出する。第１検出器４９及び第２検出器５０の各々では、散乱光の強度に対応した大きさの信号電流が得られる。エッジラフネス検出処理系７は、第１検出器４９及び第２検出器５０の各々で得られる信号電流をもとに、予め決められた閾値以上の信号強度がある場合、ラインエッジラフネスが大きいと判定する。ここで、エッジラフネスと散乱光の関係について説明する。両者の関係を知るため、図７に示すようにラインエッジラフネスをパターン１６１の側壁部分１６２にラフネスが形成されるとしてエッジラフネスの粗さをパワースペクトル密度関数で表し、散乱光の強度と方向の解析を行った。その結果、レーザ入射光の後方と前方で散乱光の強度が大きくなることが予想され、その位置に第１検出器４９、第２検出器５０を設けた。検出器の平面の位置関係を示すと図８のようになる。図８において、レーザ光源４１からのレーザ光の入射方向１７１に対して、照射位置１７２からの散乱光を第１集光レンズ４７、第２集光レンズ４８で集光して、第１検出器４９、第２検出器５０で検出する。尚、エッジラフネス検出処理系７は、エッジラフネスが大きいか否かの判定を行っているが、エッジラフネスの大きさと散乱光強度の関係を、予め測定しておくことにより、検出された散乱光の強度からエッジラフネスの大きさを検出できる。
【００４４】
レーザ入射光１７１による０次光以外の高次の反射回折光は、ディスクリートトラックメディアのパターンピッチが数１０ｎｍ程度と微細なため、現れない。従って、ライン状パターンが精度良く作成されていれば、ライン状パターンからの散乱光はない。しかし、被検査対象である試料１に異物、スクラッチ等の欠陥がある場合、散乱光検出光学系６で、それらの欠陥による散乱光を検出できる可能性がある。その場合、異物、スクラッチ等の欠陥とエッジラフネスとでは散乱光強度の大きくなる方向が異なるため、それに合わせて、検出光学系（例えば４７，４９；４８，５０）を設置することにより、それらの欠陥とエッジラフネスとを弁別することができる。また、異物、スクラッチ等の欠陥とエッジラフネスとの弁別は、第１検出器４９及び第２検出器５０の各々で得られる信号電流の時間経過に対する変化の違いからも可能となる。図９には試料１のθ回転による時間の経過に伴う各検出位置で検出される散乱光強度信号を模式的に示す。図９（ａ）は異物、スクラッチ等の欠陥を検出した場合の散乱光強度信号１８１（欠陥であるためθ回転による継続時間が非常に短い）を示し、図９（ｂ）はエッジラフネスを検出した場合の散乱光強度信号１８２（エッジラフネスであるためθ回転による継続時間が長い）を示す。従って、エッジラフネス検出処理部７において、散乱光強度信号１８１、１８２に対して予め閾値１８３を設定し、散乱光強度が閾値１８３以上である継続時間を測定し、該測定される継続時間の長さにより、異物、スクラッチ等の欠陥とエッジラフネスとの弁別を行うことも可能である。
【００４５】
また、被検査対象である試料１に異物やスクラッチ等の欠陥がある場合には該欠陥からの散乱光が上方に発生して分光検出光学系４の対物レンズ２７、結像レンズ２８で集光され、分光器３２で検出されてノイズとなる可能性がある。その場合、形状検査処理部５において、分光器３２で検出される分光波形を元に得られる分光反射率波形から、レーザ光源４１から出射されるレーザ光の波長に対応する反射率成分を除外することにより、散乱光の影響をうけることなく分光検出を行うことができる。
【００４６】
次に、第１の実施形態における形状検査処理部５の処理の流れについて、図１０を用いて説明する。分光検出光学系４で被検査対象である試料１からの反射光を分光検出し、該分光検出された分光反射率波形が形状検査処理部５に入力される（Ｓ２０１）。同時に、全体制御部８において、エッジラフネス検出処理部７でエッジラフネスを検出したか否かを確認する（Ｓ２０２）。なお、エッジラフネス検出処理部７は、散乱光検出光学系６により検出される被検査対象である試料１からの散乱光を元にラインエッジラフネスの有無を調べ、該調べたラインエッジラフネスの有無を全体制御部８に知らせる構成となっている。
【００４７】
エッジラフネス検出処理部７でエッジラフネスが検出された場合には、例えば、形状検査処理部５において、第１の分光検出モデルとしてラインエッジラフネスを組み込んだ光学モデルを作成する（Ｓ２０３）。該作成した第１の分光検出モデルとしては、例えば、ライン状パターンの幅、高さ、側壁角、エッジラフネスの大きさをパラメータとする。
【００４８】
エッジラフネス検出処理部７でエッジラフネスが検出されない場合には、例えば、形状検査処理部５において、第２の分光検出モデルとしてラインエッジラフネスを組み込まない光学モデルを作成する（Ｓ２０４）。該作成した第２の分光検出モデルとしては、例えば、ライン状パターンの幅、高さ、側壁角とする。
【００４９】
次に、例えば、形状検査処理部５において、上記作成したラインエッジラフネスを含む第１の分光検出モデル又はラインエッジラフネスを含まない第２の分光検出モデルに対してＲＣＷＡ等の電磁波解析手法を用いて各種基準の分光反射率波形を算出し、該算出した各種基準の分光反射率波形を実際の被検査対象である試料１から検出した分光反射率波形６２にフィッティングさせることによって、実際の被検査対象のパターン形状自体（第１の分光検出モデルの場合には例えば、ライン状パターンの幅、高さ、側壁角、エッジラフネスの大きさであり、第２の分光検出モデルの場合には例えば、ライン状パターンの幅、高さ、側壁角である）を計測する（Ｓ２０５）。次に、例えば、形状検査処理部５において、計測されたライン状パターンの形状（第１の分光検出モデルの場合にはエッジラフネスの大きさも含む）が欠陥であるか否かを判定して該ライン状パターンの形状の欠陥検査を行う（Ｓ２０６）。ライン状パターンの形状に欠陥がある場合には、該欠陥の位置と欠陥の種類、大きさ等をデータベース１０に記録する（Ｓ２０７）。以上の処理で、ディスク上１点でのライン状パターンの形状検査の処理が終わる。ディスクは回転すると共に直線移動しており、以上の処理を繰り返すことにより、ディスク全面を検査することが可能となる。
【００５０】
なお、形状検査処理部５で行う処理の一部（光学モデルの作成、フィッティング処理）については全体制御部８で実行してもよい。
【００５１】
［第２の実施形態］
次に、本発明に係るパターン形状検査装置の第２の実施形態について図５、図１１乃至図１３を用いて説明する。図５は、パターンエッジにラフネスがある場合の、シミュレーションによる光学モデルを示す図である。図１１は、本発明に係るパターン形状検査装置の第２の実施形態の装置構成を示す概略図である。
【００５２】
本第２の実施形態は、第１の実施形態において、散乱光検出光学系６がない場合で、パターンドメディア１０１上のライン状パターンのエッジラフネスを分光検出光学系４のみで検出するものである。
【００５３】
本第２の実施形態の構成は、散乱光検出光学系６がない以外第１の実施形態の構成と同一である。その動作も、形状検査処理部５の処理以外、第１の実施形態と同一である。
【００５４】
次に、形状検査処理部５の処理について説明する。形状検査処理部５は、入力した分光反射率波形に対して、基準となる分光反射率波形を元に例えば上述の（２）式により分光反射率波形の変化を表す判定指標値Ｄを算出する。そして判定指標値Ｄが、ある閾値以上の場合、被検査対象のライン状パターンの形状に欠陥がある（規定寸法（設計寸法）通りに形成されていない）と判定する。しかし、この時点でライン状パターンの形状の欠陥がライン状パターンの形状の変化によるものか、エッジラフネスによるものか判定できない。
【００５５】
そこで、本発明者等は、被検査対象となる試料１のパターンにエッジラフネスがある場合と、パターン形状が変化した場合とでの分光反射率波形の変化を知るため、図５に示した光学モデルより、シミュレーションを行った。シミュレーションの条件は、第１の実施形態と同一である。ライン状パターンの形状としては、ライン状パターンの幅、高さ、側壁角があげられるが、ここではライン状パターンの幅を対象とし、その変化は、エッジラフネスの大きさと同程度とした。エッジラフネスがある場合と、パターン形状が変化した場合とでの分光反射率波形を得、エッジラフネスもパターン形状の変化もない基準となる分光反射率波形を元に分光反射率波形の変化量を表す判定指標値を算出した。ここでは、分光反射率波形の変化量を表す判定指標値として上述の（２）式の代わりに、各波長区間での変化量を表す波長依存性判定指標値を用いた。偏光がＴＭ偏光のとき算出された各波長区間での変化量を表す波長依存性判定指標値の結果を図１２に示す。図１２においてパターン形状変化したときの波長依存性判定指標値１６１は、短波長側で大きくなり、エッジラフネスの波長依存性判定指標値１６２は、波長に対する変化が小さい。これより、本発明者等はパターン形状変化とエッジラフネスとを区別することができることを見出すことができた。
【００５６】
そこで、例えば、形状検査処理部５では、以上の結果（各波長区間で変化量を表す波長依存性判定指標値）に基づいてパターン形状変化によるものとエッジラフネスによるものとの検出（区別）を行う。
【００５７】
次に、第２の実施形態における形状検査処理部５の処理の流れについて、図１３を用いて説明する。分光検出光学系４で被検査対象である試料１からの反射光を分光検出し、該分光検出された分光反射率波形が形状検査処理部５に入力される（Ｓ２１１）。次に、形状検査処理部５は、入力された分光反射率波形に対して基準となる分光反射率波形を元に、例えば上述の（２）式により分光反射率波形の変化を表す判定指標値Ｄを算出する（Ｓ２１２）。次に、形状検査処理部５は、算出された判定指標値Ｄに対して、予め定められた閾値以上か否かの判定を行う（Ｓ２１３）。形状検査処理部５は、判定指標値Ｄが閾値以上の場合には、既に述べた分光反射率波形の変化量について各波長区間での波長依存性判定指標値を算出し（Ｓ２１４）、該波長依存性判定指標値算出後、波長依存性判定指標値が短波長側で大きいか否かの判定を行う（Ｓ２１６）。該波長依存性判定指標値が短波長側で大きい場合、ライン状パターンの形状欠陥と判定する（Ｓ２１７）。一方、波長依存性判定指標値が短波長側で大きくない場合には、ラインエッジラフネスが大きいと判定する（Ｓ２１８）。また、形状検査処理部５は、判定指標値Ｄが閾値以下の場合には、パターン欠陥なしと判定する（Ｓ２１５）。
【００５８】
以上の処理で、形状検査処理部５は、パターン形状に欠陥があると判定した場合には、該欠陥の位置と欠陥の種類等をデータベース１０に記録する（Ｓ２１９）。以上で、ディスク上１点でのパターン形状検査の処理が終わる。ディスクは回転すると共に直線移動しており、以上の処理を繰り返すことにより、ディスク全面を検査することが可能となる。
【００５９】
なお、第２の実施形態においても、第１の実施の形態と同様に、形状検査処理部５で行う処理の一部については全体制御部８で実行してもよい。
【００６０】
また、第２の実施形態において被検査対象として、ディスクリートトラックメディアを扱ったが、ビットパターンドメディアに対しても同様の処理を行うことが可能である。
次に、ディスク全面を検査したときの、例えば入出力端末９への検出欠陥表示例を図１４に示す。図１４（ａ）は第１の実施形態に対応し、ディスク２３１に対して、パターン形状欠陥の種類２２１、２２２、大きさ２２３、２２４等の２次元分布が、図１４（ｂ）は第２の実施形態に対応し、ディスク２３１に対して、パターン形状欠陥２２１、２２２の種類等の２次元分布が入出力端末９のディスプレイに表示される。
【産業上の利用可能性】
【００６１】
本発明によれば、パターンドメディアからなる磁気記録媒体、特にディスクリートトラックメディア、そのスタンパ、又はスタンパの型であるマスタ等の被検査対象に形成された数１０ｎｍ程度以下の微細なライン状パターンの形状（例えばトラックの幅、高さ、側壁角等）を、パターンエッジの状態（ラインエッジラフネス）を含めて、高速、かつ高感度に検査することが可能となる。
【図面の簡単な説明】
【００６２】
【図１】本発明に係るパターン形状検査装置の第１の実施形態の装置構成を示す概略図である。
【図２】本発明に係る被検査対象であるディスクリートトラックメディアの構造を示す斜視図である。
【図３】本発明に係るパターン形状検査装置から得られる分光反射率波形と正常パターンの分光反射率波形との関係を説明するための図である。
【図４】本発明に係る被検査対象のディスクリートトラックメディアのパターンエッジにラフネスがある場合の構造を示す斜視図である。
【図５】本発明に係るパターンエッジにラフネスがある場合におけるシミュレーションによる光学モデルを示す図である。
【図６】本発明者等がシミュレーションにより得られたエッジラフネスの変化に対する分光反射率波形の変化量を表す判定指標値を示す図である。
【図７】本発明に係るエッジラフネスの粗さをパワースペクトル密度関数で表わす方法を示す図である。
【図８】本発明に係るパターン形状検査装置の第１の実施形態の散乱光検出光学系における検出器の平面の位置関係を示す概略図である。
【図９】本発明に係るパターン形状検査装置の第１の実施形態の散乱光検出光学系で検出される散乱光強度信号を示す図である。
【図１０】本発明に係る第１の実施形態での形状検査処理部の処理の流れを示すフロー図である。
【図１１】本発明に係るパターン形状検査装置の第２の実施形態の装置構成を示す概略図である。
【図１２】本発明者等がシミュレーションにより得られたパターン形状とエッジラフネスの分光反射率波形との波長依存性変化（各波長区間での波長依存性判定指標値）を示す図である。
【図１３】本発明に係る第２の実施形態での形状検査処理部の処理の流れを示すフロー図である。
【図１４】本発明に係るパターン形状検査装置での検出欠陥表示例を示す図である。
【符号の説明】
【００６３】
２…θステージ、３…Ｘステージ、４…分光検出光学系、５…形状検査処理部、６…散乱光検出光学系、７…エッジラフネス検出処理部、８…全体制御部、９…入出力端末、１０…データベース、２１…広帯域光源、２２…集光レンズ、２３…視野絞り、２４…照射レンズ、２５…ハーフミラー、２６…偏光プリズム、２７…対物レンズ、２８…結像レンズ、２９…絞り、３０…回折格子、３１…リニアセンサ、３２…分光器、４１…レーザ光源、４２…波長板、４３…ビームエキスパンダ、４４…ミラー、４５…ミラー、４７…第１集光レンズ、４８…第２集光レンズ、４９…第１検出器、５０…第２検出器、６１…基準の分光反射率波形、６２…試料から検出されて入力された分光反射率波形、１０１・・・ディスクリートトラックメディア、１１１…基板、１１２…軟磁性下地層、１１３…中間層、１１４…記録層（磁性膜）、１１５…トラック溝、１２１…パターン、１２２…エッジラフネス、１３４…パターン、１３５…パターンエッジ（ラフネス層）、１４１…入射光、１４２…ＴＥ偏光、１４３…ＴＭ偏光、１７１…入射方向、１７２…照射位置、２３１…ディスク。
【図１】
2010123182.tif 000005
【図２】
2010123182.tif 000006
【図３】
2010123182.tif 000007
【図４】
2010123182.tif 000008
【図５】
2010123182.tif 000009
【図６】
2010123182.tif 000010
【図７】
2010123182.tif 000011
【図８】
2010123182.tif 000012
【図９】
2010123182.tif 000013
【図１０】
2010123182.tif 000014
【図１１】
2010123182.tif 000015
【図１２】
2010123182.tif 000016
【図１３】
2010123182.tif 000017
【図１４】
2010123182.tif 000018